(57)【要約】      （修正有）【課題】電線貫通金物が狭い間隔で密集して設けられていても、締結部材を回転させることができる電線貫通金物締結工具を提供する。【解決手段】この電線貫通金物締結工具１は、実質的に同一平面に設けられた一対の電線貫通金物接触部材支持部材２，３と、それぞれの電線貫通金物接触部材支持部材２，３の表面から垂直に突き出た電線貫通金物接触部材４，５と、電線貫通金物接触部材支持部材２，３同士の距離を変える移動部材６と、電線貫通金物接触部材支持部材２，３に接続された柄７と、電線貫通金物接触部材支持部材２，３同士の間に形成される空間８を有する。【選択図】図１
0003166554.tif 000002
【実用新案登録請求の範囲】
【請求項１】
実質的に同一平面に設けられた一対の電線貫通金物接触部材支持部材と、それぞれの電線貫通金物接触部材支持部材の表面から垂直に突き出た電線貫通金物接触部材と、電線貫通金物接触部材支持部材同士の距離を変える移動部材と、電線貫通金物接触部材支持部材に接続された柄と、電線貫通金物接触部材支持部材同士の間に形成される空間を有する電線貫通金物締結工具。
【考案の詳細な説明】
【技術分野】
【０００１】
この考案は、電線貫通金物などの締結部材を着脱するための工具に関する。
【背景技術】
【０００２】
略円柱状の外形を有し、その外周部に締結用工具をはめ込むための切り欠き部を有する締結部材が使用されている。たとえば、電線貫通金物のナットにこのような構造が用いられている。
【０００３】
電線貫通金物は、配電箱など閉鎖した容器を貫通するように電線を取り付ける場合に使われる部材である。中空状の部材で、内部に電線を通す穴と、電線を取り囲むパッキンが設けられている。配電箱など貫通するように電線を固定し、しかも水が内部に進入することを防止するようになっている。この電線貫通金物は、本体部とナットにより構成されており、それぞれにネジ部が形成されていて、着脱できるようになっている。また、本体部も２つの部分に分割されていて、やはりネジで着脱される。この電線貫通金物のナットの外周部には、複数の切り欠き部が設けられている。
【０００４】
このようなナットを締めたり緩めるために、フックスパナが使用されている。たとえば、特許文献１にはフックスパナの例が記載されている。このフックスパナは棒状の柄の先端部に半円状のフックが設けられていて、そのフックの先端には、内側に突き出た突起が設けられている。この突起をナットの切り欠き部に合わせ、ナットの外周に沿ってフックを取り付ける。その状態で、柄を回すことによってナットを回転させることができる。
【先行技術文献】
【特許文献】
【０００５】
【特許文献１】実開平７−２０２６３号公報
【考案の概要】
【考案が解決しようとする課題】
【０００６】
特許文献１などのフックスパナでは、フック部の内周をナットの外周に当てて押えるので、一つのフックスパナでは、それに対応する大きさのナットにしか使用することができない。したがって、複数の大きさのナットがある場合、それだけの種類のフックスパナを用意して使い分けなければならない。
【０００７】
また、フックスパナを使用するためには、電線貫通金物の周囲に大きな空間が必要である。そのためには、電線貫通金物同士の間隔を大きくしなければならず、多数の電線貫通金物を密集させて取り付けることができない。しかし、機器の高機能化とともに配線も複雑となり、多数の電線を密集して配置する必要が高くなりつつある。このような場合、フックスパナでは、フック部をナットに取り付けることができず、また、取り付けることができた場合でも、フック柄部を回すスペースがない。
【０００８】
そこで、フックスパナが使用できない場合には、ドライバの先端を切り欠き部に当ててハンマーでたたくことによりナットを回すことが考えられる。しかし、これはナットを痛めるおそれがあり、また、十分に締め付けることは困難である。
【０００９】
この考案は、電線貫通金物が狭い間隔で密集して設けられていても、締結部材を回転させることができる電線貫通金物締結工具を提供することを目的とする。
【課題を解決するための手段】
【００１０】
上述の課題を解決するため、この考案の電線貫通金物締結工具は、実質的に同一平面に設けられた一対の電線貫通金物接触部材支持部材と、それぞれの電線貫通金物接触部材支持部材の表面から垂直に突き出た電線貫通金物接触部材と、電線貫通金物接触部材支持部材同士の距離を変える移動部材と、電線貫通金物接触部材支持部材に接続された柄と、電線貫通金物接触部材支持部材同士の間に形成される空間を有する。
【考案の効果】
【００１１】
この考案の電線貫通金物締結工具は、電線貫通金物接触部材支持部材および柄が電線貫通金物に干渉しないように設けられているので、電線貫通金物が狭い間隔で密集して設けられていても、ナットを回転させることができる。
【図面の簡単な説明】
【００１２】
【図１】電線貫通金物締結工具を示す平面図である。
【図２】同断面図である。
【図３】電線貫通金物を示す平面図である。
【考案を実施するための形態】
【００１３】
この考案を実施するための形態について図面に基づいて説明する。図１は電線貫通金物締結工具を示す平面図、図２は同Ａ−Ａ断面図、図３は電線貫通金物を示す平面図である。
【００１４】
電線貫通金物締結工具１は、実質的に同一平面に設けられた一対の電線貫通金物接触部材支持部材２，３と、それぞれの電線貫通金物接触部材支持部材２，３の表面から垂直に突き出た電線貫通金物接触部材４，５と、電線貫通金物接触部材支持部材同士の距離を変える移動部材６と、電線貫通金物接触部材支持部材に接続された柄７と、電線貫通金物接触部材支持部材同士の間に形成される空間８を有する
【００１５】
この例において、電線貫通金物締結工具１はモンキーレンチに似た形状を有する。柄７の一端部には略三角形状に広がるアーム支持部９が形成されている。このアーム支持部９の第１角部９ａに第１アーム２（第１の電線貫通金物接触部材支持部材）が設けられている。第１アーム２はアーム支持部９と一体に形成された固定アームである。また、アーム支持部９の第２角部９ｂには第２アーム３（第２の電線貫通金物接触部材支持部材）が設けられている。この第２アーム３は可動アームであり、アーム支持部９に固定されていない。移動部材６によって第１角部９ａと第２角部９ｂの間を移動することができ、これによって第１アーム２と第２アーム３の距離を変えることができる。移動部材６は例えば、ウォームラックとギアの組合せによって構成することができる。
【００１６】
第１アーム２には、その表面から垂直に突き出た第１電線貫通金物係合突起４（第１の電線貫通金物接触部材）が設けられている。また、第２アーム３には第２電線貫通金物係合突起５（第２の電線貫通金物接触部材）が同様に設けられている。電線貫通金物係合突起４，５は、電線貫通金物の外周部の切り欠き部内に挿入できる大きさを有する。
【００１７】
つぎに、電線貫通金物締結工具の使用方法について説明する。まず、対象となる締結部材の大きさに合わせて第１アーム２と第２アーム３の距離を調整する。電線貫通金物のナットを回転させる場合、そのナットなどに設けられた切り欠き１１で、円周上の向かい合った位置にある一対の間隔に合わせて、第２アーム３の位置を調整し、電線貫通金物係合突起４，５がその一対の切り欠き部１１に係合できるようにする。
【００１８】
ついで、締結部材１０の上部より電線貫通金物係合突起４，５を切り欠き部１１に挿入する。柄の端部を回すことによって、締結部材１０を回転させ、締付けまたは緩めることができる。
【００１９】
アーム２，３および柄７は締結部材１０の上面よりも上に位置し、干渉しない。したがって、短い間隔で隣接する締結部材があっても、電線貫通金物締結工具１を合わせることができる。また、アーム２，３同士の間にも開口部８ａを有する略コの字状のを空間８があるので、電線１２にも干渉しない。柄７も十分に長くすることができ、強固に締め付けるためのトルクを確保することができる。柄７の取り付け方向も任意であり、最も作業しやすい向きを選択することができる。
【００２０】
移動部材６を調整するだけで、電線貫通金物係合突起４，５の距離を変えることができ、異なる大きさの締結部材に使用することができる。したがって、同じ配電箱に複数の種類の電線貫通金物が取り付けられる場合でも、１本の電線貫通金物締結工具で対応できる。
【００２１】
なお、この例では電線貫通金物係合突起４，５以外はほぼモンキーレンチと同じ形状であるので、電線貫通金物係合突起４，５がない側を使用することにより、六角ボルトや六角ナットを回すためのスパナとして使用することもできる。
【００２２】
以上の例では、電線貫通金物締結工具はモンキーレンチの形状に類似しており、一対の電線貫通金物接触部材支持部材もスパナのあご部のように形成されている。しかし、この考案の電線貫通金物締結工具は、そのような形状に限定されない。たとえば、電線貫通金物接触部材支持部材は、電線貫通金物接触部材の位置までの長さでよく、それより先の部分は省略できる。また、電線貫通金物の回転に必要なトルクに堪える太さがされば十分であり、単純な棒状、あるいは曲げ棒のような形状でもよい。
【００２３】
電線貫通金物の中には、図３に示すような外周部に切り欠き部を有するもののほか、六角形のナットやボルトのような形状のものもある。そのような形状の電線貫通金物に適用するために、電線貫通金物接触部材の幅（図２におけるＷ）を広くしてもよい。そして、その広い当たり面を六角ナットや六角ボルトの側面に接触させて、電線貫通金物を回転させることができる。
【符号の説明】
【００２４】
１．電線貫通金物締結工具
２，３  電線貫通金物接触部材支持部材（アーム）
４，５  電線貫通金物接触部材（係合突起）
６．電線貫通金物締結工具
７．柄
８．空間
９．アーム支持部
１０．電線貫通金物（締結部材）
１１．切り欠き部
１２．電線
【図１】
0003166554.tif 000003
【図２】
0003166554.tif 000004
【図３】
0003166554.tif 000005